(57)【要約】      （修正有）【課題】快適で軽量かつ安全な椅子を提供する。【解決手段】脚部１と第１アーム２−１と第２アーム２−２と第１座面３−１と第２座面３−２から構成され、脚部１に第１アーム２−１と第２アーム２−２が接続され、第１アーム２−１に第１座面３−１が接続され、第２アーム２−２、第２座面３−２が接続される。脚部１ないし第１アーム２−１は第２アーム２−１が棒状部材でパイプ状部材により形成される。【選択図】図１
2010017493.tif 000002
【特許請求の範囲】
【請求項１】
脚部と、第１アームと第２アームと、第１座面と第２座面から構成され、該脚部に該第１アームと該第２アームが接続され、該第１アームに該第１座面が接続され、該第２アームに該第２座面が接続されることを特徴とする椅子。
【請求項２】
前記第１アームと前記第２アームが対向して配置され、前記第１座面と前記第２座面が該第１アームと該第２アームの間を臨むように対向して配置され、該第１座面と該第２座面がそれぞれ煽り動可能であることを特徴とする請求項１に記載の椅子。
【請求項３】
前記第１アームと前記第２アームの弾性変形により前記第１座面と前記第２座面がそれぞれ煽り動可能であることを特徴とする請求項１ないしは２のいずれか１項に記載の椅子。
【請求項４】
前記第１座面と前記第２座面の弾性変形により該第１座面と該第２座面がそれぞれ煽り動可能であることを特徴とする請求項１ないしは３のいずれか１項に記載の椅子。
【請求項５】
請求項１ないしは４のいずれか１項に記載の椅子と、第１緩衝手段と第２緩衝手段により構成され、該第１緩衝手段は前記第１アームと前記第１座面の間に設置され、該第２緩衝手段は前記第２アームと前記第２座面の間に設置され、該第１緩衝手段と該第２緩衝手段によりそれぞれ該第１座面と該第２座面が煽り動可能であることを特徴とする請求項１ないしは４のいずれか１項に記載の椅子。
【請求項６】
前記第１緩衝手段が前記第１アームに内包され、前記第２緩衝手段が前記第２アームに内包されることを特徴とする請求項１ないしは５のいずれか１項に記載の椅子。
【請求項７】
前記第１緩衝手段が前記第１座面に内包され、前記第２緩衝手段が前記第２座面に内包されることを特徴とする請求項１ないしは６のいずれか１項に記載の椅子。
【請求項８】
前記第１緩衝手段ないしは前記第２緩衝手段が可撓性部材から成ることを特徴とする請求項１ないしは７のいずれか１項に記載の椅子。
【請求項９】
前記第１緩衝手段ないしは前記第２緩衝手段がばねから成ることを特徴とする請求項１ないしは８のいずれか１項に記載の椅子。
【請求項１０】
前記第１緩衝手段ないしは前記第２緩衝手段が緩衝シリンダーから成ることを特徴とする請求項１ないしは９のいずれか１項に記載の椅子。
【請求項１１】
前記第１アームと前記第２アームの弾性変形ないしは前記第１座面と前記第２座面の弾性変形ないしは前記第１緩衝手段と前記第２緩衝手段の弾性変形と、使用者の体重の掛け方との力関係により、該第１座面ないしは該第２座面の煽り動が水平から下方に３０度以内の角度で平衡状態になることを特徴とする請求項１から１０のいずれか一項に記載の椅子。
【請求項１２】
請求項１ないしは１１のいずれか１項に記載の椅子と、ロッキング機構部とから構成され、該ロッキング機構部が前記脚部と前記第１アームおよび前記第２アームの間に設置されることを特徴とする請求項１ないしは１１のいずれか１項に記載の椅子。
【請求項１３】
請求項１ないしは１２のいずれか１項に記載の椅子と、高さ調整シリンダーとから構成され、該高さ調整シリンダーが前記脚部と前記ロッキング機構部の間に設置されることを特徴とする請求項１ないしは１２のいずれか１項に記載の椅子。
【請求項１４】
請求項１ないしは１３のいずれか１項に記載の椅子と、キャスターとから構成され、該キャスターが前記脚部に設置されることを特徴とする請求項１ないしは１３のいずれか１項に記載の椅子。
【請求項１５】
請求項１ないしは１４のいずれか１項に記載の椅子と、１つ以上の背もたれとから構成され、該背もたれが前記脚部ないしは前記第１アームないしは前記第２アームないしは前記第１座面ないしは前記第２座面ないしは前記ロッキング機構部に接続されることを特徴とする請求項１ないしは１４のいずれか１校に来載の椅子。
【請求項１６】
請求項１ないしは１５のいずれか１項に記載の椅子と、１つ以上の肘掛とから構成され、該肘掛が前記脚部ないしは前記第１アームないしは前記第２アームないしは前記第１座面ないしは前記第２座面ないしは前記ロッキング機構部に接続されることを特徴とする請求項１ないしは１５のいずれか１校に来載の椅子。
【発明の詳細な説明】
【利用分野】
【０００１】  本発明は、脚部と第１アームと第２アームと第１座面と第２座面から構成され、脚部に第１アームと第２アームが接続され、第１アームに第１座面が接続され、第２アームに第２座面が接続されることを特徴とする椅子に関するものである。
【背景技術】
【０００２】  クッション性の高い快適な椅子を構成する場合、座面に様々な機能を呈する構造体を付加しなければならないが、構造体が多くなればなるほど、椅子全体の重量が増し、取り回しが困難になるという問題があった。【０００３】  単純な構造体を部品単位で構成する限り、多機能化に伴う重量の増加を避けることは不可能である。【０００４】  従来から、通気性の高い椅子として、プレート板上に一対の対向移動可能な座面を設置した構造（特許文献１）、プレート板上の一対の対向移動が可能なベース板上にヒンジを介して傾斜可能な座面を配置した構造（特許文献２）が考案されている。しかしながら、それらの構造では、座面を支える部分がかなりの厚みになってしまうだけでなく、重量も非常に重い。そのため、座面の位置が高く、小柄な人にとって足が床に届かない状態になってしまうばかりか、椅子の移動や取り回しが困難なほど重くなってしまう問題があり、さらに、ヒンジ部に指を挟んでしまうという安全性の問題もあった。また、プレート板を用いているため、通気性が損なわれるばかりか、デザインの柔軟性にも制限があった。【０００５】
【特許文献１】２０−２００１−００３２５５３
【特許文献２】特表２００６−５２７０６２
【発明の開示】
【発明が解決しようとする課題】
【０００６】  本発明は、前記従来技術の問題点を解決することを目的とするものであり、クッション性や通気性が高く、座面高の調整範囲が広く、構造が簡単で、安全で、軽量で、デザインの柔軟性のすぐれた椅子を実現することを課題としている。
【課題を解決するための手段】
【０００７】  本発明は上記課題を解決するために、脚部と第１アームと第２アームと第１座面と第２座面から構成され、脚部に第１アームと第２アームが接続され、第１アームに第１座面が接続され、第２アームに第２座面が接続されることを特徴とする椅子を提供する。【０００８】  脚部ないしは第１アームないしは第２アームが棒状部材により形成されることが好ましい。【０００９】  脚部ないしは第１アームないしは第２アームがパイプ状部材により形成されることが好ましい。【００１０】  脚部と第１アームないしは第２アームが一体成型されることが好ましい。【００１１】  第１アームと第２アームが一体成型されることが好ましい。【００１２】  複数ないしは一体成型されたアームが環状構造を持つことが好ましい。【００１３】  複数ないしは一体成型されたアームがハニカム構造を持つことが好ましい。【００１４】  複数ないしは一体成型されたアームが枝分かれ構造を持つことが好ましい。【００１５】  第１アームと第２アームが対向して配置され、第１座面と第２座面が第１アームと第２アームの間を臨むように対向して配置され、第１座面と第２座面がそれぞれ煽り動可能であることが好ましい。【００１６】  座面の一部ないしは全体がアームの上に配置されることが好ましい。【００１７】  座面の一部ないしは全体がアームの横に配置されることが好ましい。【００１８】  座面の一部ないしは全体がアームの下に配置されることが好ましい。【００１９】  アームの一部ないしは全体が座面に内包されることが好ましい。【００２０】  アームが可撓性部材から成ることが好ましい。【００２１】  座面が可撓性部材から成ることが好ましい。【００２２】  第１アームと第２アームの弾性変形により第１座面と第２座面がそれぞれ煽り動可能であることが好ましい。【００２３】  第１座面と第２座面の弾性変形により第１座面と第２座面がそれぞれ煽り動可能であることが好ましい。【００２４】  第１緩衝手段は第１アームと第１座面の間に設置され、第２緩衝手段は第２アームと第２座面の間に設置され、第１緩衝手段と第２緩衝手段によりそれぞれ第１座面と第２座面が煽り動可能であることが好ましい。【００２５】  第１緩衝手段全体ないしは一部が第１アームに内包され、第２緩衝手段全体ないしは一部が第２アームに内包されることが好ましい。【００２６】  第１緩衝手段全体ないしは一部が第１座面に内包され、第２緩衝手段全体ないしは一部が第２座面に内包されることが好ましい。【００２７】  第１緩衝手段ないしは第２緩衝手段が可撓性部材から成ることが好ましい。【００２８】  第１緩衝手段ないしは第２緩衝手段がばねから成ることが好ましい。【００２９】  第１緩衝手段ないしは第２緩衝手段が緩衝シリンダーから成ることが好ましい。【００３０】  第１緩衝手段ないしは第２第１緩衝手段ないしは第２緩衝手段が、曲がり棒ばね、ねじれ棒ばね等の棒状のばねを用いて行うことが好ましい。【００３１】  緩衝手段が、薄板ばね、重ね薄板ばね等の板状のばねを用いて行うことが好ましい。【００３２】  第１緩衝手段ないしは第２緩衝手段が、皿ばね等の皿状のばねを用いて行うことが好ましい。【００３３】  第１緩衝手段ないしは第２緩衝手段が、輪ばね等の輪状のばねを用いて行うことが好ましい。【００３４】  第１緩衝手段ないしは第２緩衝手段が、圧縮コイルばね、引張コイルばね、ねじりコイルばね、トーションばね、ダブルトーションばね、円錐コイルばね、角ばね、竹の子ばね等のコイル状のばねを用いて行うことが好ましい。【００３５】  第１緩衝手段ないしは第２緩衝手段が、緩衝シリンダーを用いて行うことが好ましい。【００３６】  第１緩衝手段ないしは第２緩衝手段が、ばねないしは緩衝シリンダーないしは錘を用いた天秤を用いて行うことが好ましい。【００３７】  第１緩衝手段ないしは第２緩衝手段の一部ないしは全体が、座面の下ないしは上ないしは横に配置されることが好ましい【００３８】  第１緩衝手段ないしは第２緩衝手段の一部ないしは全体が、座面に内蔵されることが好ましい。【００３９】  第１緩衝手段ないしは第２緩衝手段の一部ないしは全体が、アームの下ないしは上ないしは横に配置されることが好ましい。【００４０】  第１緩衝手段ないしは第２緩衝手段が、アームに内蔵されることが好ましい。【００４１】  第１緩衝手段ないしは第２緩衝手段として、棒状のばねないしはコイル状ばねなどが、筒状のアームに内蔵されることが好ましい。【００４２】  第１座面ないしは第２座面は第１緩衝手段ないしは第２緩衝手段に押されるように第１アームないしは第２アームに接続されることが好ましい。【００４３】  第１アームと第２アームの弾性変形ないしは第１座面と第２座面の弾性変形ないしは第１緩衝手段と第２緩衝手段の弾性変形と、使用者の体重の掛け方との力関係により、第１座面ないしは第２座面の煽り動が水平から下方に３０度以内の角度で平衡状態になることが好ましい。【００４４】  使用者が座面から離れた後、数秒程度掛けて座面が水平ないしは水平に近い状態に戻ることが好ましい。【００４５】  ストッパーにより、座面が４５度以内の煽り動に制限されることが好ましい。また、煽り動が起きないようにある角度で固定することが好ましい。さらに、水平から上方向に煽り動が起きないようにすることが好ましい。【００４６】  ロッキング機構部が脚部と第１アームおよび第２アームの間に設置されることが好ましい。【００４７】  脚部とロッキング機構部が一体成型されることが好ましい。【００４８】  アームとロッキング機構部が一体成型されることが好ましい。【００４９】  高さ調整シリンダーが脚部とロッキング機構部の間に設置されることが好ましい。【００５０】  キャスターが脚部に設置されることが好ましい。【００５１】  １つ以上の背もたれが脚部ないしは第１アームないしは第２アームないしは第１座面ないしは第２座面ないしはロッキング機構部に接続されることが好ましい。【００５２】  １つ以上の肘掛が脚部ないしは第１アームないしは第２アームないしは第１座面ないしは第２座面ないしはロッキング機構部に接続されることが好ましい。【００５３】  １つ以上のアームを用いることが好ましい。【００５４】  １つ以上の座面を用いることが好ましい。【００５５】  １つ以上の緩衝手段を用いることが好ましい。
【発明の効果】
【００５６】  このように、本発明では、アームを用いた単純な構造で、より高いクッション性と通気性を実現し、座面高の調整範囲が広く、軽量な椅子を実現することができる。例えば、従来品と比較して、３ｃｍ以上の座高面の調整範囲の拡大と、５％程度の軽量化が可能である。また、デザイン性が増し、見た目の良さも向上させることができる。
【発明を実施するための最良の形態】
【００５７】  本発明に係る椅子の実施の形態を実施例に基づき図面を参照して、以下に説明する。【００５８】  図１は、本発明に係る椅子の構成の概要を示す図である。この図１に示すように、本発明に係る椅子は、脚部１と、第１アーム２−１と第２アーム２−２と、第１座面３−１と第２座面３−２から構成され、脚部１に第１アーム２−１と第２アーム２−２が接続され、第１アーム２−１に第１座面３−１が接続され、第２アーム２−２に第２座面３−２が接続されることを特徴とする。【００５９】  脚部ないしは第１アームないしは第２アームが棒状部材により形成されてもよい。【００６０】  脚部ないしは第１アームないしは第２アームがパイプ状部材により形成されてもよい。【００６１】  脚部と第１アームないしは第２アームが一体成型されてもよい。【００６２】  第１アームと第１座面ないしは第２アームと第２座面が一体成型されてもよい。【００６３】  脚部と第１アームないしは第２アームと第１座面ないしは第２座面が一体成型されてもよい。【００６４】  図２は、本発明に係る椅子の構成の概要を示す別の図である。この図２に示すように、第１アーム２−１と第２アーム２−２がそれぞれ第１座面３−１と第２座面３−２を下側から支えてもよい。【００６５】  図３は、本発明に係る椅子の構成の概要を示す別の図である。この図３に示すように、第１アーム２−１と第２アーム２−２が枝分れ構造を成してもよい。【００６６】  図４は、本発明に係る椅子の構成の概要を示す別の図である。この図４に示すように、第１アームと第２アームが一体成型されたアーム２として成ってもよい。【００６７】  図５は、本発明に係る椅子の構成の概要を示す別の図である。この図５に示すように、一体成型されたアーム２が環状構造を持つことを特徴としている。【００６８】  複数ないしは一体成型されたアームが環状構造ないしはハニカム構造を持ってもよい。【００６９】  図６は、本発明に係る椅子の構成の概要を示す別の図である。この図６に示すように、アームの一部ないしは全体が座面に内包されてもよい。【００７０】  座面の一部ないしは全体がアームの上に配置されてもよい。【００７１】  座面の一部ないしは全体がアームの横に配置されてもよい。【００７２】  座面の一部ないしは全体がアームの下に配置されてもよい。【００７３】  図７（ａ）と図７（ｂ）は、本発明に係る椅子の構成の概要を示す別の図であり、使用者が座った時の椅子の様子を示している。この図７（ａ）ないしは図７（ｂ）に示すように、第１アームと前記第２アームが対向して配置され、第１座面と第２座面が第１アームと第２アームの間を臨むように対向して配置され、第１座面と第２座面がそれぞれ煽り動可能であることを特徴とする。なお、図７（ａ）は、２つの座面の対向方向の一方向に煽り動する場合を示し、図７（ｂ）は、２つの座面の対向方向と２つの座面の対向方向に垂直な方向の２方向に煽り動する場合を示している。【００７４】  アームが可撓性部材から成ってもよい。【００７５】  座面が可撓性部材から成ってもよい。【００７６】  第１アームと第２アームの弾性変形により第１座面と第２座面がそれぞれ煽り動可能であってもよい。【００７７】  第１座面と第２座面の弾性変形により第１座面と第２座面がそれぞれ煽り動可能であってもよい。
図７（ｂ）に示すような煽り動において、アームないしは座面の弾性定数分布を調整することにより、煽り方を自由に設定することができる。【００７８】  図８は、本発明に係る椅子の構成の概要を示す別の図である。この図８に示すように、第１緩衝手段４−１は第１アーム２−１と第１座面３−１の間に設置され、第２緩衝手段４−２は第２アーム２−２と第２座面３−２の間に設置され、第１緩衝手段４−１と第２緩衝手段４−２により第１座面３−１と第２座面３−２がそれぞれ煽り動可能であることを特徴とする。【００７９】  第１緩衝手段全体ないしは一部が第１アームに内包され、第２緩衝手段全体ないしは一部が第２アームに内包されてもよい。【００８０】  第１緩衝手段全体ないしは一部が第１座面に内包され、第２緩衝手段全体ないしは一部が第２座面に内包されてもよい。【００８１】  第１緩衝手段ないしは第２緩衝手段が可撓性部材から成ってもよい。【００８２】  第１緩衝手段ないしは第２緩衝手段がばねから成ってもよい。【００８３】  第１緩衝手段ないしは第２緩衝手段が緩衝シリンダーから成ってもよい。【００８４】  第１緩衝手段ないしは第２第１緩衝手段ないしは第２緩衝手段が、曲がり棒ばね、ねじれ棒ばね等の棒状のばねを用いて行ってもよい。【００８５】  緩衝手段が、薄板ばね、重ね薄板ばね等の板状のばねを用いて行ってもよい。【００８６】  第１緩衝手段ないしは第２緩衝手段が、皿ばね等の皿状のばねを用いて行ってもよい。【００８７】  第１緩衝手段ないしは第２緩衝手段が、輪ばね等の輪状のばねを用いて行ってもよい。【００８８】  第１緩衝手段ないしは第２緩衝手段が、圧縮コイルばね、引張コイルばね、ねじりコイルばね、ないしは、トーションばね、ダブルトーションばね、円錐コイルばね、角ばね、竹の子ばね等のコイル状のばねを用いて行ってもよい。【００８９】  第１緩衝手段ないしは第２緩衝手段が、ばねないしはシリンダーないしは錘を用いた天秤を用いて行ってもよい。【００９０】  第１緩衝手段ないしは第２緩衝手段が、座面の下ないしは上ないしは横に配置されてもよい。【００９１】  第１緩衝手段ないしは第２緩衝手段が、座面に内蔵されてもよい。【００９２】  第１緩衝手段ないしは第２緩衝手段が、アームの下ないしは上ないしは横に配置されてもよい。【００９３】  第１緩衝手段ないしは第２緩衝手段が、アームに内蔵されてもよい。【００９４】  第１緩衝手段ないしは第２緩衝手段として、棒状のばねないしはコイル状のばねなどが、筒状のアームに内蔵されてもよい。【００９５】  第１座面ないしは第２座面は第１緩衝手段ないしは第２緩衝手段に押されるように第１アームないしは第２アームに接続されてもよい。【００９６】  第１アームと第２アームの弾性変形ないしは第１座面と第２座面の弾性変形ないしは第１緩衝手段と第２緩衝手段の弾性変形と、使用者の体重の掛け方との力関係により、第１座面ないしは第２座面の煽り動が水平から下方に３０度以内の角度で平衡状態になってもよい。なお、その角度以内で使用者は最適な座り心地を得ることができる。【００９７】  使用者が座面から離れた後、数秒程度掛けて座面が水平ないしは水平に近い状態に戻ってもよい。なお、そのように煽り��が緩やかに行われると、音の発生が抑えられ、ソフト感が増す。【００９８】  ストッパーにより、座面が４５度以内の煽り動に制限されてもよい。なお、これは使用者が座面の間からずり落ちることを防ぐ効果がある。また、煽り動が起きないようにある角度で固定してもよい。さらに、水平から上方向に煽り動が起きないようにしてもよい。【００９９】  図９は、本発明に係る椅子の構成の概要を示す別の図である。この図９に示すように、ロッキング機構部５が脚部１と一体成型されたアーム２の間に設置されたことを特徴とする。【０１００】  脚部とロッキング機構部が一体成型されてもよい。【０１０１】  アームとロッキング機構部が一体成型されてもよい。【０１０２】  図１０は、本発明に係る椅子の構成の概要を示す別の図である。この図１０に示すように、高さ調整シリンダー６が脚部１とロッキング機構部５の間に設置されたことを特徴とする。【０１０３】  ロッキング機構部に１つ以上のロッキング調整レバーないしはロッキング調整アームを設置してもよい。【０１０４】  キャスターが脚部に設置されてもよい。【０１０５】  図１１（ａ）と図１１（ｂ）は、本発明に係る椅子の構成の概要を示す別の図である。この図１１（ａ）と図１１（ｂ）に示すように、第１背もたれ７−１と第２背もたれ７−２がそれぞれ２つの背もたれ緩衝部材９を介して第１背もたれアーム８−１と第２背もたれアーム８−２に接続され、第１背もたれアーム８−１と第２背もたれアーム８−２が脚部１に接続されたことを特徴とする。【０１０６】  第１背もたれ７−１ないしは第２背もたれ７−２と背もたれ緩衝部材９は一体形成されてもよい。【０１０７】  第１背もたれ７−１と第２背もたれ７−２がそれぞれ第１背もたれアーム８−１と第２背もたれアーム８−２に接続されてもよい。【０１０８】  第１背もたれアーム８−１ないしは第２背もたれアーム８−２と脚部１は一体形成されてもよい。【０１０９】  第１背もたれアーム８−１と第１アーム２−１は一体形成されてもよい。【０１１０】  第１背もたれアーム８−１と第１アーム２−１ないしは第２背もたれアーム８−２と第２アーム２−２は一体形成されてもよい。【０１１１】  １つ以上の背もたれないしは１つ以上の背もたれアームないしは一体形成された背もたれアームが、脚部ないしは第１アームないしは第２アームないしは第１座面ないしは第２座面ないしはロッキング機構部に接続されてもよい。【０１１２】  １つ以上の背もたれないしは１つ以上の背もたれアームないしは一体形成された背もたれアームが、背もたれアーム緩衝手段を介して、脚部ないしは第１アームないしは第２アームないしは第１座面ないしは第２座面ないしはロッキング機構部に接続されてもよい。【０１１３】  １つ以上の背もたれないしは１つ以上の背もたれアームないしは一体形成された背もたれアームが、背もたれアーム緩衝手段に押さえつけられるように、脚部ないしは第１アームないしは第２アームないしは第１座面ないしは第２座面ないしはロッキング機構部に接続されてもよい。【０１１４】  １つ以上の肘掛が肘掛アームを介して、脚部ないしは第１アームないしは第２アームないしは第１座面ないしは第２座面ないしはロッキング機構���に接続されてもよい。【０１１５】  １つ以上の肘掛が１つ以上の肘掛アームを介して脚部ないしは第１アームないしは第２アームないしは第１座面ないしは第２座面ないしはロッキング機構部に接続されてもよい。【０１１６】  肘掛と肘掛アームは一体形成されてもよい。【０１１７】  １つ以上の脚部を用いてもよい。なお、脚部が枝分かれしてもよい。また、円形や楕円形や矩形や多角形や板状や環状や棒状や筒状でもよい。【０１１８】  １つ以上のアームを用いてもよい。【０１１９】  １つ以上の座面を用いてもよい。【０１２０】  １つ以上の緩衝手段を用いてもよい。【０１２１】  １つ以上のロッキング機構部を用いてもよい。【０１２２】  １つ以上のキャスターを用いてもよい。【０１２３】  １つ以上の背もたれアームを用いてもよい。【０１２４】  １つ以上の背もたれ緩衝手段を用いてもよい。【０１２５】  １つ以上の背もたれアーム緩衝手段を用いてもよい。【０１２６】  １つ以上の肘掛を用いてもよい。【０１２７】  １つ以上の肘掛アームを用いてもよい。
【実施例１】
【０１２８】  図１２（ａ）と図１２（ｂ）は、本発明に係る椅子の一例を示す。この図１２（ａ）と図１２（ｂ）に示すように、第１アーム２−１と第２アーム２−２はそれぞれ第１座面３−１と第２座面３−２に接続されている。【０１２９】  第１アーム２−１と第２アーム２−２の弾性変形により、第１座面３−１と第２座面３−２が、煽り動可能としてもよい。【０１３０】  第１座面３−１と第２座面３−２の弾性変形により、第１座面３−１と第２座面３−２が、煽り動可能としてもよい。
【実施例２】
【０１３１】  第１座面ないしは第２座面は、第１緩衝手段ないしは第２緩衝手段を介して、ないしは第１緩衝手段ないしは第２緩衝手段に押されるように、第１アームないしは第２アームに接続され、煽り動可能としてもよい。図１３は、本発明に係るその一例を示す。この図１３では、座面３は、板ばね４−１−１を介してないしは押されるようにアーム２に接続されているが、アーム２は、座面３に内包されるように配置されている。使用者が座面３の右上に座ると、ばね４−１−１の弾性変形により座面３が右下に煽り動をする。煽り角は、使用者の体重の掛け方により、３０度以内で平衡状態になるように、板ばね４−１−１のばね定数を設定するとクッション性がよい。また、板ばね４−１−１の上部は座面３に押しつけられ、板ばね４−１−１の逆端はアーム溝２−１−１に差し込んで固定することができる。座面３は、アーム２に座面３の一部がアーム２の側面にスライド可能なように接続され、座面３の他の一部がばね４−１−１を介してアーム２の側面に接続されることができる。なお、アーム２を内包する座面３の穴３−１−１にストッパー形状３−１−１−１を形成すると、ストッパー形状３−１−１−１が、ばね４−１−１の折れ曲がり部分４−１−１−１に当たり、座面３が４５度以上煽らないようにすることが可能である。
【実施例３】
【０１３２】  板ばね４−１−１の座面３ないしはアーム２への固定には、ねじを用いてもよいし、溶接してもよい。図１４は、本発明に係るねじ１１を用いて、板ばね４−１−１を座面３に固定した場合の一例を示す。なお、この図１４では、座面３をアーム２の上に配置した例である。
【実施例４】
【０１３３】  図１５に示すように、本発明においては緩衝手段４を介して、座面３をアーム２に接続してもよい。この場合、緩衝手段４は、板ばね４−１−１と緩衝手段部材４−１−２により構成することができる。【０１３４】  図１５は、座面３の一部が緩衝手段の４の上部に配置された例であるが、座面の一部ないしは全面を緩衝手段の横や下に配置してもよいし、座面の内部に緩衝手段の一部ないしは全部を包含させてもよい。
【実施例５】
【０１３５】  図１６（ａ）と図１６（ｂ）は、本発明に係る緩衝手段の上に座面を配置した別の例を示す。この図では、板ばね４−１−１の一端はアーム２にねじ１１−２により固定され、板ばね４−１−１の他端は、緩衝手段部材４−１−３を介してねじ１１−３により座面３に固定されている。緩衝手段部材４−１−３は、アーム２の軸方向に、板ばね４−１−１と並列して配置される。また、緩衝手段部材４−１−３の側面の長穴とその中に配置されアームに固定されたねじ１１−４により、座面３の煽り動を４５度以内に制限することができる。さらに、ストッパー１２は、緩衝手段部材４−１−３のアーム２の軸方向への移動が制限されるよう配置されている。なお、板ばね４−１−１は座面３に直接固定されてもよい。
【実施例６】
【０１３６】  図１７は、本発明に係るアーム２を座面３に内包した別の例を示す。この図では、アーム２を内包する座面３の座面穴３−１−１は、座面３がアーム２の側面をスライドし煽り動可能な程度のサイズに開けられる。また、固定部材１３を、固定部材穴１３−１−１が座面ねじ穴３−１−２に、固定部材穴１３−１−２がアームねじ穴２−１−２に重なるように配置し、複数のねじで座面３をアーム２に固定部材１３を介して固定される。そして、座面３は、アーム２の弾性変形により煽り動可能となる。なお、アーム２の他端は、座面３の外で脚部に固定される。この例では、アーム２を座面３の側面で固定しているため、特に、座面に内包されるアーム部分の弾性変形により、より有効に座面に煽り動をさせることができる。
【実施例７】
【０１３７】  図１８は、本発明に係るアーム２を座面３に内包した別の例を示す。この図では、アーム２はパイプ状の形状を成し、その内側に棒ばね４−１−４を内包することを特徴とする。また、アーム２を内包する座面３の座面穴３−１−１は、座面３がアーム２の側面をスライドし煽り動可能な程度のサイズに開けられる。さらに、固定部材１３を、固定部材穴１３−１−１が座面ねじ穴３−１−２に、固定部材穴１３−１−２が棒ばねねじ穴４−１−４−１に重なるように配置し、複数のねじで座面３を棒ばね４−１−４に固定部材１３を介して固定される。そして、座面３は、棒ばね４−１−４の捻じれ変形により煽り動可能となる。
【実施例８】
【０１３８】  図１９は、本発明に係るアーム２を座面３に内包した別の例を示す。この図では、アーム２を内包する座面３の座面穴３−１−１は、座面３がアーム２の側面をスライドし煽り動可能な程度のサイズに開けられる。また、緩衝シリンダー１４の一端をアーム２に、緩衝シリンダー１４の他端を座面３に、固定軸ボルトを介して、緩衝シリンダーの全長が可動可能なように、固定される。そして、座面３は、緩衝シリンダー１４のピストン運動により煽り動可能となる。なお、この例のように緩衝手段として緩衝シリンダーを用いた場合、煽り動はより緩やかに行われるため、音の発生が抑えられ、ソフト感が増す。
【実施例９】
【０１３９】  図２０は、本発明に係る緩衝手段をアーム２に内包した別の例を示す。この図では、緩衝手段が圧縮コイルばね４−１−５とボルト４−１−６がアーム２−４とアーム２−３に内包されることを特徴とする。また、アーム端２−３−１とアーム端２−４−１を支点として、座面３が下方向に煽る構成にしている。なお、アーム端２−３−１とアーム端２−４−１において、アーム端の円周上であれば、どこでも支点にすることができる。【０１４０】  図２０では、圧縮コイルばね４−１−５側のアーム２−３がさらに座面３に内包される構成にしているが、アーム２−４を座面に内包してもよい。【０１４１】  アームを座面に対してアームの軸と座面の垂直軸がほぼ平行になるように配置してもよい。【０１４２】  アームとロッキング機構部を一体化させて作成することもできる。【０１４３】  アーム２−４とアーム２−３が露出する場合は、連結部にカバーをすれば安全である。【０１４４】  棒状ばねや板状ばね引張コイルばねを用いても同様な機能を実現できる。
【実施例１０】
【０１４４】  図２１（ａ）と図２１（ｂ）と図２１（ｃ）は、本発明に係るアームとロッキング機構部を接続する例を示す。この図では、ロッキング機構部５にアーム２−１とアーム２−２がねじ止めされることを特徴とする。なお、アームをロッキング機構に溶接してもよい。
【実施例１１】
【０１４５】  図２２は、本発明に係るアームとロッキング機構部を接続する例を用いた場合の椅子全体の様子を示す。なお、この図では、肘掛１５−１と肘掛アーム１５−１−１と肘掛１５−２と肘掛アーム１５−２−１が座面に固定されることを特徴としている。
【実施例１２】
【０１４６】  図２３は、本発明に係るアームとロッキング機構部を接続する別の例を示す。なお、この図は、アームの平面状の側面とロッキング機構部を接続したことを特徴としている。
【実施例１３】
【０１４７】  図２４は、本発明に係るアームとロッキング機構部を接続する別の例を示す。なお、この図は、緩衝手段部材４−１−３−１ないしは緩衝手段部材４−１−３−２はリング状の部位が２つ形成されたことを特徴としている。また、アームの一端とストッパーが一体形成され、アームの他端がピン止めによるストッパーを備えることを特徴としている。
【実施例１４】
【０１４８】  図２５は、本発明に係るアームとロッキング機構部を接続する別の例を示す。なお、この図は、ロッキング機構部が、アーム２−１−１ないしはアーム２−１−２と接続する箇所で、ロッキング機構部が、アーム２−１−１ないしはアーム２−１−２の円周側面周囲を囲むように形成されたことを特徴としている。板ばね４−１−２の下端は、必ずしもアームに接続する必要はなく、ロッキング機構部に固定してもよい。また、板ばね４−１−２をコイル状のトーションばねやダブルトーションばねなどに変えてもよい。【０１４９】  以上、本発明の椅子の最良の形態を実施例に基づいて説明したが、本発明はこのような実施例に限定されることなく、特許請求の範囲に記載の技術的事項の範囲内で、いろいろな実施例があることは言うまでもない。
【産業上の利用可能性】
【０１５０】  以上の構成から成る本発明によれば、従来問題であった、座面を支える部分がかなりの厚みになってしまい座面の位置が高く小柄な人にとって足が床に届かない状態になってしまう事や重量が非常に重く椅子の移動や取り回しが困難なほど重くなってしまうことがなく、さらに、ヒンジ部に指を挟んでしまうということもなく、プレート板による通気性の低下もなく、デザインの柔軟性の制限もなく、クッション性や通気性が高く、座面高の調整範囲が広く、構造が簡単で、安全で、軽量で、デザインの柔軟性のすぐれた椅子を実現ことを可能としている。
【図面の簡単な説明】
【０１５１】
【図１】本発明に係る椅子の構成の概要を示す図である。
【図２】本発明に係る椅子の構成の概要を示す図である。
【図３】本発明に係る椅子の構成の概要を示す図である。
【図４】本発明に係る椅子の構成の概要を示す図である。
【図５】本発明に係る椅子の構成の概要を示す図である。
【図６】本発明に係る椅子の構成の概要を示す図である。
【図７】本発明に係る椅子の構成の概要を示す図である。
【図８】本発明に係る椅子の構成の概要を示す図である。
【図９】本発明に係る椅子の構成の概要を示す図である。
【図１０】本発明に係る椅子の構成の概要を示す図である。
【図１１】本発明に係る椅子の構成の概要を示す図である。
【図１２】本発明の椅子の実施例１を示す。
【図１３】本発明の椅子の実施例２を示す。
【図１４】本発明の椅子の実施例３を示す。
【図１５】本発明の椅子の実施例４を示す。
【図１６】本発明の椅子の実施例５を示す。
【図１７】本発明の椅子の実施例６を示す。
【図１８】本発明の椅子の実施例７を示す。
【図１９】本発明の椅子の実施例８を示す。
【図２０】本発明の椅子の実施例９を示す。
【図２１】本発明の椅子の実施例１０を示す。
【図２２】本発明の椅子の実施例１１を示す。
【図２３】本発明の椅子の実施例１２を示す。
【図２４】本発明の椅子の実施例１３を示す。
【図２５】本発明の椅子の実施例１４を示す。
【符号の説明】
【０１５２】１  脚部
２−１  第１アーム
２−２  第２アーム
３−１  第１座面
３−２  第２座面
４−１  第１緩衝手段
４−２  第２緩衝手段
５  ロッキング機構部
６  高さ調整シリンダー
７  背もたれ
７−１  第１背もたれ
７−２  第２背もたれ
８  背もたれアーム
８−１  第２背もたれアーム
８−２  第２背もたれアーム
９  背もたれ緩衝部材
１０  キャスター
５−１−１  第１ロッキング調整レバー
５−１−２  第１ロッキング調整アーム
５−２−１  第２ロッキング調整レバー
５−２−２  第２ロッキング調整アーム
４−１−１  板ばね
４−１−１−１  折れ曲がり部分
３−１−１  座面穴
３−１−１−１  ストッパー形状
２−１−１  アーム溝
１１  ねじ
１１−２  ねじ
１１−３  ねじ
４−１−３  緩衝手段部材
１１−４  ねじ
２−１−２  アームねじ穴
３−１−２  座面ねじ穴
１３  固定部材
１３−１−１  固定部材穴
１３−１−２  固定部材穴
４−１−４  棒ばね
４−１−４−１  棒ばねねじ穴
１１−５  ねじ
１１−６  ボルト
１１−７  ボルト
１４  弾性シリンダー
２−３  アーム
２−４  アーム
２−３−１  アーム端
２−４−１  アーム端
４−１−５  圧縮コイルねじ
４−１−６  ボルト
１５−１  第１肘掛
１５−２  第２肘掛
１５−１−１  第１肘掛アーム
１５−２−１  第２肘掛アーム
４−１−３−１  緩衝手段部材
４−１−３−２  緩衝手段部材
【図１】
2010017493.tif 000003
【図２】
2010017493.tif 000004
【図３】
2010017493.tif 000005
【図４】
2010017493.tif 000006
【図５】
2010017493.tif 000007
【図６】
2010017493.tif 000008
【図７】
2010017493.tif 000009
【図８】
2010017493.tif 000010
【図９】
2010017493.tif 000011
【図１０】
2010017493.tif 000012
【図１１】
2010017493.tif 000013
【図１２】
2010017493.tif 000014
【図１３】
2010017493.tif 000015
【図１４】
2010017493.tif 000016
【図１５】
2010017493.tif 000017
【図１６】
2010017493.tif 000018
2010017493.tif 000019
【図１７】
2010017493.tif 000020
【図１８】
2010017493.tif 000021
【図１９】
2010017493.tif 000022
【図２０】
2010017493.tif 000023
【図２１】
2010017493.tif 000024
【図２２】
2010017493.tif 000025
【図２３】
2010017493.tif 000026
【図２４】
2010017493.tif 000027
【図２５】
2010017493.tif 000028
【手続補正書】
【提出日】平成20年9月22日(2008.9.22)
【手続補正２】
【補正対象書類名】図面
【補正対象項目名】全図
【補正方法】変更
【補正の内容】
【図１】
2010017493.tif 000029
【図２】
2010017493.tif 000030
【図３】
2010017493.tif 000031
【図４】
2010017493.tif 000032
【図５】
2010017493.tif 000033
【図６】
2010017493.tif 000034
【図７（ａ）】
2010017493.tif 000035
【図７（ｂ）】
2010017493.tif 000036
【図８】
2010017493.tif 000037
【図９】
2010017493.tif 000038
【図１０】
2010017493.tif 000039
【図１１（ａ）】
2010017493.tif 000040
【図１１（ｂ）】
2010017493.tif 000041
【図１２（ａ）】
2010017493.tif 000042
【図１２（ｂ）】
2010017493.tif 000043
【図１３】
2010017493.tif 000044
【図１４】
2010017493.tif 000045
【図１５】
2010017493.tif 000046
【図１６（ａ）】
2010017493.tif 000047
【図１６（ｂ）】
2010017493.tif 000048
【図１７】
2010017493.tif 000049
【図１８】
2010017493.tif 000050
【図１９】
2010017493.tif 000051
【図２０】
2010017493.tif 000052
【図２１（ａ）】
2010017493.tif 000053
【図２１（ｂ）】
2010017493.tif 000054
【図２２】
2010017493.tif 000055
【図２３】
2010017493.tif 000056
【図２４】
2010017493.tif 000057
【図２５】
2010017493.tif 000058